(57)【要約】【課題】アクティブ切替操作を省くことで、操作時間の短縮を可能とする。【解決手段】イメージ部の操作を制御するためのイメージ制御部と、入力部の操作を制御するための入力制御部と、前記イメージ部の操作ボタンの押下時に前記入力制御部から前記イメージ制御部への制御の切替を行うとともに、前記イメージ部の操作ボタンの解放時に前記イメージ制御部から前記入力制御部への制御の切替を行うイメージエントリフォーカス制御部とを備え、アクティブ切替制御をイメージ部の操作ボタンの操作と同時に実施する。【選択図】図１
2007156982.tif 000002
【特許請求の範囲】
【請求項１】
データ入力対象のイメージを表示するイメージ部と、データ入力を受け付ける入力部とを備えたデータ入力装置において、
イメージ部の操作を制御するためのイメージ制御部と、
入力部の操作を制御するための入力制御部と、
前記イメージ部の操作を開始すると前記入力制御部から前記イメージ制御部への制御の切替を行うとともに、前記イメージ部の操作を終了すると前記イメージ制御部から前記入力制御部への制御の切替を行うイメージエントリフォーカス制御部と、
を備えたことを特徴とするデータ入力装置。
【請求項２】
前記操作を行うための操作指示手段を備えた操作部を備え、
前記操作指示手段による操作指示を受け付けると操作の開始と判定し、
前記操作指示手段による操作指示の終了を受け付けると操作の終了と判定する、
請求項１記載のデータ入力装置。
【請求項３】
前記操作部はポインティングデバイスであり、
前記操作指示手段は前記ポインティングデバイスのボタンであり、前記ボタンの押下により操作の開始を判定し、
前記ボタンの解放により操作の終了を判定する、
請求項２記載のデータ入力装置。
【請求項４】
営業店において入力帳票のイメージを読み取るスキャナを接続したスキャナ端末と、
事務集中センタにおいて前記営業店のスキャナ端末から通信回線を介して送られたイメージのデータ入力作業を行う請求項１記載のデータ入力装置と、
から成るコンピュータシステム。
【発明の詳細な説明】
【技術分野】
【０００１】
本発明は、データ入力作業における操作性を高めることにより、作業効率の向上に伴うデータ処理能力の向上を図ったデータ入力装置に関するものである。
【背景技術】
【０００２】
一般に、銀行等の為替事務をコンピュータシステムで処理する場合においては、為替事務を集中的に処理するコンピュータを備えた事務センタに対し、銀行の各店舗に備えられたＯＣＲ（光学式文字読取装置）で読み取った為替帳票のイメージを送り、事務センタのデータ入力装置を使ってオペレータがデータ入力作業を行っている。
【０００３】
上記のようなコンピュータシステムにおいては、従来、データ入力作業を行うデータ入力装置において、オペレータは１台の表示装置の画面に分割表示されたイメージ部と入力部から成る複数画面をファンクションキー等により切り替えながら入力作業を行っていた。
【０００４】
例えば、イメージ上の記入内容が小さくて見えにくい場合、イメージ部において拡大操作を行うことができるが、入力作業の途中で拡大操作を行う場合には、入力部からイメージ部へのアクティブ切替操作が必要である。
【０００５】
この入力部からイメージ部へのアクティブ切替操作は、ファンクションキーを押下することにより、あるいはマウス等のポインティングデバイスによりポインタを入力部からイメージ部へ移動させた後にクリックボタンを押下することにより行っている。
【０００６】
ここで、図面を参照して上述した切替操作について詳述する。
オペレータは、図２に示す画面において、イメージ部２１に表示される総合振込依頼書の枠２４で指示されたイメージを見ながら、入力部２２の各テキストボックスへのキー入力作業を行う。
【０００７】
この際、イメージ上の記入内容が小さくて見えにくい場合、オペレータはマウス等のポインティングデバイスによってイメージ部２１の拡大ボタン２３をクリックすることにより、イメージ部において拡大操作を行うことができる。
【０００８】
このとき、入力部２２からイメージ部２１へのアクティブ切替操作は、ポインティングデバイスによりポインタを入力部からイメージ部へ移動させた後にクリックボタンを押下することにより行われる。
【０００９】
そして、イメージ部２１の操作から入力部２２での入力作業に戻る場合には、フォーカスを入力部２２の所定のテキストボックスに戻すためにポインティングデバイスをクリックすることにより、または所定のファンクションキーを押下することにより、イメージ部２１から入力部２２へのアクティブ切替操作を行う。
【００１０】
しかしながら、入力作業の途中で拡大等のイメージ操作を行う場合には、入力部からイメージ部へのアクティブ切替操作が必要であるとともに、イメージ操作から入力作業に戻る場合にも、アクティブ切替操作が必要であった。
【００１１】
従って、入力作業において１カ所のイメージの内容を確認するために、オペレータは２オペレーションを行うことを要求されていた。このため、入力作業を円滑に行うことが妨げられた。
【００１２】
また、オペレータは、イメージの内容を確認した後、直ちに本来の入力作業に戻れず、その前にアクティブ切替操作を行うことを余儀なくされていたので、操作上の精神的負担もあり、本来の入力作業に集中することが妨げられていた。
【００１３】
以上のように、オペレータの入力作業について繁雑な点があり、１帳票当たりの処理時間が長くなるなど、入力作業において入力操作時間以外の処理時間を要するという問題があった。
【発明の開示】
【発明が解決しようとする課題】
【００１４】
解決しようとする問題点は、入力作業の途中で拡大等のイメージ操作を行う場合に、入力部からイメージ部へのアクティブ切替操作が必要であるとともに、イメージ操作から入力作業に戻る場合にも、アクティブ切替操作が必要であるので、オペレータの入力作業が繁雑であり、入力作業において入力操作時間以外の処理時間を要するという点である。
【課題を解決するための手段】
【００１５】
本発明は、イメージ部の操作を制御するためのイメージ制御部と、入力部の操作を制御するための入力制御部と、前記イメージ部の操作ボタンの押下時に前記入力制御部から前記イメージ制御部への制御の切替を行うとともに、前記イメージ部の操作ボタンの解放時に前記イメージ制御部から前記入力制御部への制御の切替を行うイメージエントリフォーカス制御部とを備えたことを特徴とするデータ入力装置を提供することを最も主要な特徴とする。
【発明の効果】
【００１６】
本発明のデータ入力装置は、入力作業の途中で拡大等のイメージ操作を行う場合に、入力部からイメージ部へのアクティブ切替操作がイメージ操作開始と同時に行われ、イメージ操作から入力作業に戻る場合のアクティブ切替操作はイメージ操作終了と同時に行われるので、オペレータはアクティブ切替操作を意識的にする必要がなくなり、これにより、データの入力作業が容易となり、イメージ操作に要する操作以外は、入力作業において入力操作以外の操作を省くことができ、その結果として、操作時間を短縮できるという利点がある。
【発明を実施するための最良の形態】
【００１７】
入力操作時間以外の処理時間を省き、操作時間を短縮するという目的を、為替事務集中業務におけるデータ端末で、実現した。
【実施例１】
【００１８】
図１は、本発明に係る事務集中処理システムの構成を示す図である。
図示のシステムは、営業店１と、事務集中センタ２とから成る。
【００１９】
営業店１は、為替帳票を走査し、イメージを読み取るスキャナ４と、スキャナ４を接続したスキャナ端末５とを備えており、営業店１の銀行員は、顧客から受け取った入力帳票３をスキャナ４にセットし、スキャナ４で読み取った帳票イメージをスキャナ端末５に入力する。
【００２０】
スキャナ端末５は、例えば、パーソナルコンピュータ等から成り、通信装置６を介して専用線等の通信回線７に接続されている。これにより、スキャナ端末５は、スキャナ４で読み取った帳票イメージを通信回線７を介して事務集中センタ２に送る。
【００２１】
事務集中センタ２は、通信装置８を介して接続されたＬＡＮ等の内部通信回線に接続された、データ管理サーバ９、入力データベース１０、エントリ端末１１、検証端末１２から成る。
【００２２】
データ管理サーバ９は、パーソナルコンピュータ等から成り、通信装置８に接続された通信回線７を介して送られた帳票イメージを入力データベース１０に格納するとともに、入力データベース１０に格納された各帳票イメージを管理する。
【００２３】
エントリ端末１１は、例えば、パーソナルコンピュータ等から成り、事務集中センタ２のオペレータが帳票イメージに対応したテキストの入力作業を行うものである。これは、図示では１台のみ示しているが、実際は、複数台が備えられており、事務集中センタ２で入力作業を行うオペレータの数だけの台数がある。
【００２４】
検証端末１２は、エントリ端末１１と同様にパーソナルコンピュータ等から成る。この検証端末１２は、入力作業の結果が妥当であるか否かを検証するために設けられているものである。
【００２５】
図２は、イメージエントリ業務での画面構成を示す図である。
図示の画面は、エントリ端末１１において表示される。
【００２６】
図２に示すように、イメージエントリ業務での画面は、イメージ部２１と、入力部２２とによって構成されている。
【００２７】
イメージ部２１は、図示の総合振込依頼書等のデータ入力対象の帳票のイメージを表示する部分であり、このイメージを操作するために、拡大ボタン２３、縮小ボタン２７、標準ボタン２８、回転ボタン２９の各ボタンが設けられている。
【００２８】
また、入力部２２の各テキストボックスにテキストを入力するイメージ部分を指示するために枠２４が設けられている。また、左右にイメージをスクロールするための移動ボタン２５、２６が設けられている。
【００２９】
入力部２２は、イメージ部２１において、枠２４で指示された部分に対応したテキストをオペレータがキーボードから入力するための各テキストボックスを配置して構成されている。オペレータは、イメージ部２１に表示された帳票のイメージを見ながら、帳票の各データ入力項目に対応するデータを入力部２２の対応するテキストボックスに対して入力する。
【００３０】
図３は、本発明に係るシステムのソフトウェア構成を示す図である。
図３において、ソフトウェア３０は、イメージ部２１の操作を制御するためのイメージ制御部３１、入力部２２の操作を制御するための入力制御部３２を有する。
【００３１】
また、これらの両制御部に従って帳票のデータ処理を行うメインアプリケーション部３３、本発明に係るフォーカスおよびカーソルの制御を行うイメージエントリフォーカス制御部３４を有する。
【００３２】
さらに、オンラインでのマルチタスクの制御を行うＯＬＴＰ（オンラインタスクプログラム）３５、コンピュータシステムの各ハードウェアを制御するＯＳ（オペレーションシステム）３６を有する。
【００３３】
図２に示す画面は、所定の画像メモリに格納されているビットマップデータがＣＲＴまたは液晶表示装置等の表示装置に対し、所定の表示制御装置によりラスタ制御等の方法によって出力制御されることにより表示される。
【００３４】
図２のようなイメージ部２１と入力部２２の分割画面を表示するためには、上記の画像メモリをイメージ部用画像メモリ領域４１と、入力部用画像メモリ領域４２とに分割する。
【００３５】
そして、イメージ部用画像メモリ領域４１には帳票イメージのビットマップデータを格納し、入力部用画像メモリ領域４２には入力部２２の表示内容に対応したビットマップデータを格納して上記の表示制御部による表示制御を行う。
【００３６】
上記の分割画面の表示機能は、ＯＳ３６によって提供されるものである。すなわち、ＯＳ３６は、画面の分割位置や各分割画面に表示するべきデータの格納場所を示すアドレスを指定したコマンドを受け取ることにより、上記画像メモリ内にイメージ部用画像メモリ領域４１と入力部用画像メモリ領域４２を作成して該当するビットマップデータを作成して格納する。
【００３７】
上記ＯＳ３６が受け取るコマンドは、メインアプリケーション部３３によって発行される。すなわち、メインアプリケーション部３３は、ＯＳ３６に対するコマンドにおいて、画面の分割位置の座標を指定するとともに、イメージ部２１に表示するべきイメージデータをイメージ制御部３１の指示に従って拡大や縮小等の加工を施して所定の格納場所に格納し、その格納場所を示すアドレスを指定する。
【００３８】
また、入力部２２のイメージと各テキストボックスの画面上での表示位置座標を各テキストボックス内に表示するテキストデータの格納場所と、各テキストボックス以外の地の部分についてのイメージデータを格納した場所をコマンドに指定することによりＯＳ３６を介し表示制御部によって表示装置に入力部２２が表示される。
【００３９】
入力制御部３２は、オペレータのキーボードからのキー入力に従って上記テキストデータの格納場所にテキストデータを入力する。この際、入力制御部３２の指示によりＯＳ３６は、上記格納場所に格納されたテキストデータをビットマップデータに変換し、入力部用画像メモリ領域の該当するエリアに格納する。
【００４０】
これにより、上述の表示制御部により画面上の該当する座標位置のテキストボックス内に入力テキストデータが表示される。
【００４１】
上記のソフトウェア３０において、イメージ制御部３１と入力制御部３２とのいずれによってオペレータの操作が為されるか、すなわち、アクティブ切替制御はイメージエントリフォーカス制御部３４によって行われる。以下、この制御の内容を図４および図５を参照して説明する。
【００４２】
図４は、イメージ操作開始時の処理手順を示す図である。
図２のイメージ部２１がオペレータによりポインティングデバイスによって操作されると、図３のＯＳ３６から図示しない受信バッファ（メモリの一部）に対し、ボタンダウンのイベントが発せられる。
【００４３】
図４のフローチャートのステップＳ１において、このボタンダウンのイベントが検出されると、ステップＳ２においてポインティングデバイスのポインタが図２のイメージ部２１の範囲にあるか否かが判定される。この判定は図示しないポインタメモリに格納された座標が図２のイメージ部２１の座標範囲に存在するか否かをＯＳ３６が判定することにより行う。
【００４４】
この判定の結果が肯定のときは、イメージ制御部３１にボタンダウンイベントが通知され、ステップＳ３においてイメージ部２１にアクティブが切り替えられる。
【００４５】
すなわち、図３においてイメージ制御部３１からイメージエントリフォーカス制御部３４にボタンダウンのイベントが通知された旨を通知し、イメージエントリフォーカス制御部３４がイメージ部２１にアクティブを切り替える旨のパラメータをメインアプリケーション部３３に渡すと、メインアプリケーション部３３はイメージ制御部３１による制御を有効とする。
【００４６】
その後、ステップＳ４においてイメージ操作が行われる。例えば、前記ボタンダウンのイベントが通知された際に、オペレータによるポインティングデバイスの操作に基づいて図２において拡大ボタン２３がポインタにより指示されているときは、イメージの拡大操作を行う。
【００４７】
すなわち、イメージ制御部３１はイメージ部用画像メモリ領域４１内に帳票イメージの一部のビットマップデータをｘ方向およびｙ方向に所定数倍引き延ばしたビットマップデータを再格納するコマンドをＯＳ３６に発行する。
【００４８】
このとき、拡大ボタン２３は図２に示すように強調表示される。これにより、オペレータに対しイメージ部２１がアクティブである旨が示される。この状態をフォーカスがイメージ部２１に存在する状態という。
【００４９】
図５は、イメージ操作終了時の処理手順を示す図である。
オペレータが上記の拡大操作を行う際、ポインティングデバイスのボタンを押下するが、押下してそのボタンを放したとき、ＯＳ３６から図示しない受信バッファに対しボタンアップのイベントが発せられる。
【００５０】
ステップＳ５においてこのボタンアップのイベントを検出すると、ボタンアップのイベントはイメージ制御部３１に通知され、ステップＳ６において、入力部２２にアクティブが切り替えられる。
【００５１】
すなわち、図３においてイメージ制御部３１からイメージエントリフォーカス制御部３４にボタンアップのイベントが通知された旨を通知し、イメージエントリフォーカス制御部３４が入力部２２にアクティブを切り替える旨のパラメータをメインアプリケーション部３３に渡すと、メインアプリケーション部３３は入力制御部３２による制御を有効とする。
【００５２】
このとき、入力部２２内のカーソルセット位置はフォーカスがイメージ部２１に移っている間も維持されている。
【００５３】
すなわち、入力制御部３２とイメージ制御部３１とは互いに独立したアプリケーションプログラムであり、入力部２２でオペレータの操作が一旦中断し、イメージ部２１にフォーカスが移った際のカーソルセット位置は入力制御部３２で用意した図示しないカーソルメモリに保持されている。
【００５４】
よって、入力部２２にフォーカスが戻れば、それまで入力されていたテキストボックスにカーソルがセットされる。従って、オペレータはイメージ部２１を操作した後、直ちに元のテキストボックスに対する入力操作を再開できる。
【００５５】
また、ファンクションキー（Ｆ２キー）の押下時の制御については、オペレータがキーボードのＦ２キーを押下すると、ＯＳ３６によってＦ２キーのキーダウンイベントが発せられ、イメージエントリフォーカス制御部３４がイメージ制御部３１と入力制御部３２との間のアクティブ切替制御を行う。
【００５６】
この場合、オペレータがキーボードのＦ２キーを押下する都度、すなわち、ＯＳ３６によってＦ２キーのキーダウンイベントが発せられる都度、イメージエントリフォーカス制御部３４がイメージ制御部３１と入力制御部３２との間のアクティブ切替制御を行う。
【００５７】
このようにして、オペレータは、図２に示す画面において、イメージ部２１に表示される総合振込依頼書の枠２４で指示されたイメージを見ながら、入力部２２の各テキストボックスへのキー入力作業を行う際、例えば、イメージ上の記入内容が小さくて見えにくい場合、マウス等のポインティングデバイスのボタンによってイメージ部２１の拡大ボタン２３を押下することにより、イメージ部において拡大操作を行うことができる。
【００５８】
このとき、ボタンの押下によって入力部２２からイメージ部２１へのアクティブ切替操作が行われて拡大操作等のイメージ操作が行われるとともに、ボタンの解放によってイメージ部２１から入力部２２へのアクティブ切替操作が行われる。
【００５９】
よって、入力作業の途中で拡大等のイメージ操作を行う場合に、入力部２２からイメージ部２１へのアクティブ切替操作が拡大ボタン等の押下と同時に行われるとともに、イメージ操作から入力作業に戻る場合には、アクティブ切替操作を行う必要がなくなる。
【００６０】
従って、入力作業において１カ所のイメージの内容を確認するために、オペレータは１オペレーションを行うことで済み、入力作業を円滑に行うことができる。
【００６１】
また、オペレータは、イメージの内容を確認した後、直ちに本来の入力作業に戻れることができ、操作上の精神的負担が軽減され、本来の入力作業に集中することができる。
【００６２】
以上のように、オペレータの入力作業が単純化され、１帳票当たりの処理時間を短縮することができる。
すなわち、従来のＦ２キー押下によるアクティブ切替操作を、１帳票当たり１回行うと仮定した場合、１回の操作（Ｆ２キー押下２回）に約０．５秒を要する。
【００６３】
今回の発明では、イメージ部のマウス操作時、元のテキストボックスにフォーカスを戻す制御を行うことにより、約０．５秒の操作時間短縮が見込める。
すなわち、１日当たり、１００帳票処理した場合、５０秒の処理時間短縮となり、オペレータが２０人いるセンタでは、約１７分の時間短縮が見込める。
【００６４】
なお、上述した実施例では、イメージ部２１の操作をマウス等のポインティングデバイスのクリックボタンの操作によって行う場合について説明したが、本発明はこれに限らず、イメージ部２１に表示された拡大ボタン等に対応したファンクションキーの押下時に入力部からイメージ部へのアクティブ切替制御を行うとともに、当該ファンクションキーの解放時にイメージ部から入力部へのアクティブ切替制御を行う場合についても適用することができる。
【図面の簡単な説明】
【００６５】
【図１】本発明に係る事務集中処理システムの構成を示す図である。
【図２】イメージエントリ業務での画面構成を示す図である。
【図３】本発明に係るシステムのソフトウェア構成を示す図である。
【図４】イメージ操作開始時の処理手順を示す図である。
【図５】イメージ操作終了時の処理手順を示す図である。
【符号の説明】
【００６６】
１    営業店
２    事務集中センタ
３    入力帳票
４    スキャナ
５    スキャナ端末
６、８  通信装置
７    通信回線
９    データ管理サーバ
１０  入力データベース
１１  エントリ端末
１２  検証端末
２１  イメージ部
２２  入力部
３０  ソフトウェア
３１  イメージ制御部
３２  入力制御部
３３  メインアプリケーション部
３４  イメージエントリフォーカス制御部
【図１】
2007156982.tif 000003
【図２】
2007156982.tif 000004
【図３】
2007156982.tif 000005
【図４】
2007156982.tif 000006
【図５】
2007156982.tif 000007